(57)【要約】【課題】  腰掛けた状態での吐水操作および立った状態または腰掛けた状態でのシャワー操作をともに楽な姿勢で確実に行うことのできる浴室用水栓ユニット。【解決手段】  給水配管と吐水配管およびシャワー配管との間に介在する浴室用水栓ユニット。給水配管から吐水配管への給水経路の開閉操作を行うための吐水操作部（３）と、吐水操作部よりも奥側で且つ高い位置に配置されて、給水配管からシャワー配管への給水経路の開閉操作を行うためのシャワー操作部（４）とを備えている。吐水操作部およびシャワー操作部は、手前から奥に向かって上昇傾斜する操作面（３ａ，４ａ）をそれぞれ有する。シャワー操作部の操作面（４ａ）が水平面となす角度は、吐水操作部の操作面（３ａ）が水平面となす角度よりも実質的に大きく設定されている。【選択図】  図１
2006016750.tif 000002
【特許請求の範囲】
【請求項１】
給水配管と吐水配管およびシャワー配管との間に介在する浴室用水栓ユニットにおいて、
前記給水配管から前記吐水配管への給水経路の開閉操作を行うための吐水操作部と、
前記吐水操作部よりも奥側で且つ高い位置に配置されて、前記給水配管から前記シャワー配管への給水経路の開閉操作を行うためのシャワー操作部とを備え、
前記吐水操作部および前記シャワー操作部は、手前から奥に向かって上昇傾斜する操作面をそれぞれ有し、
前記シャワー操作部の操作面が水平面となす角度は、前記吐水操作部の操作面が水平面となす角度よりも実質的に大きく設定されていることを特徴とする浴室用水栓ユニット。
【請求項２】
前記シャワー操作部の操作面が水平面となす角度は約６０度であり、前記吐水操作部の操作面が水平面となす角度は約３０度であることを特徴とする請求項１に記載の浴室用水栓ユニット。
【請求項３】
前記シャワー操作部は、浴室床面から約７０ｃｍ〜約８０ｃｍの高さ位置に設けられていることを特徴とする請求項１または２に記載の浴室用水栓ユニット。
【発明の詳細な説明】
【技術分野】
【０００１】
本発明は、浴室用水栓ユニットに関し、特に給水配管と吐水配管およびシャワー配管との間に介在する水栓ユニットに関するものである。
【背景技術】
【０００２】
浴室の壁面には、給水配管から吐水配管への給水や給水配管からシャワー配管への給水動作などを制御するための水栓ユニットが取り付けられている。従来の浴室用水栓ユニットとして、図５に示すように、吐水操作キー４１とシャワー操作キー４２とが同じ高さ位置において横方向に隣接して配置されたタイプが知られている（例えば特許文献１を参照）。
【特許文献１】特開平１０−１６９８０１号公報（図６，図７）
【発明の開示】
【発明が解決しようとする課題】
【０００３】
図５に示す浴室用水栓ユニットでは、吐水操作キー４１とシャワー操作キー４２とが横方向に隣接して水平配置されているので、浴室の洗い場に腰掛けた状態で吐水操作キー４１が使用し易いような高さ位置に水栓ユニットを取り付けると、シャワー操作キー４２の位置が低すぎて、シャワーを浴びながら立った状態でシャワー操作キー４２を使用するには身を屈めて無理な姿勢をとる必要がある。
【０００４】
一方、シャワーを浴びながら立った状態でシャワー操作キー４２が使用し易いような高さ位置に水栓ユニットを取り付けると、吐水操作キー４１の位置が高すぎて、浴室の洗い場に腰掛けた状態で吐水操作キー４１を使用するには腕を大きく上げて無理な姿勢をとる必要がある。一般に、吐水操作は腰掛けた状態で行うのが通常であり、シャワー操作は立った状態だけでなく腰掛けた状態でも行うことがある。
【０００５】
本発明は、前述の課題に鑑みてなされたものであり、腰掛けた状態での吐水操作および立った状態または腰掛けた状態でのシャワー操作をともに楽な姿勢で確実に行うことのできる浴室用水栓ユニットを提供することを目的とする。
【課題を解決するための手段】
【０００６】
前記課題を解決するために、本発明では、給水配管と吐水配管およびシャワー配管との間に介在する浴室用水栓ユニットにおいて、
前記給水配管から前記吐水配管への給水経路の開閉操作を行うための吐水操作部と、
前記吐水操作部よりも奥側で且つ高い位置に配置されて、前記給水配管から前記シャワー配管への給水経路の開閉操作を行うためのシャワー操作部とを備え、
前記吐水操作部および前記シャワー操作部は、手前から奥に向かって上昇傾斜する操作面をそれぞれ有し、
前記シャワー操作部の操作面が水平面となす角度は、前記吐水操作部の操作面が水平面となす角度よりも実質的に大きく設定されていることを特徴とする浴室用水栓ユニットを提供する。
【０００７】
本発明の好ましい態様によれば、前記シャワー操作部の操作面が水平面となす角度は約６０度であり、前記吐水操作部の操作面が水平面となす角度は約３０度である。また、前記シャワー操作部は、浴室床面から約７０ｃｍ〜約８０ｃｍの高さ位置に設けられていることが好ましい。
【発明の効果】
【０００８】
本発明では、給水配管からシャワー配管への給水経路の開閉操作を行うためのシャワー操作部が、給水配管から吐水配管への給水経路の開閉操作を行うための吐水操作部よりも奥側で且つ高い位置に配置されている。加えて、吐水操作部およびシャワー操作部は手前から奥に向かって上昇傾斜する操作面をそれぞれ有し、シャワー操作面が水平面となす角度は吐水操作面が水平面となす角度よりも実質的に大きく設定されている。
【０００９】
すなわち、シャワー操作面が吐水操作面よりも奥側において吐水操作面よりも高い位置に配置され、且つシャワー操作面の方が吐水操作面よりも大きな角度で手前から奥に向かって上昇傾斜している。本発明の浴室用水栓ユニットでは、このシャワー操作面と吐水操作面との間の前後位置関係、高さ位置関係および傾斜角度関係により、腰掛けた状態での吐水操作および立った状態または腰掛けた状態でのシャワー操作をともに楽な姿勢で確実に行うことができる。
【００１０】
なお、本発明では、シャワー操作面が水平面となす角度は約６０度であり、吐水操作面が水平面となす角度は約３０度であることが好ましい。また、シャワー操作部は、立った状態であまり腰を屈めることなく操作し易いように、浴室床面から約７０ｃｍ〜約８０ｃｍの高さ位置に設けられていることが好ましい。この構成により、吐水操作およびシャワー操作の双方をさらに楽な姿勢で行うことができる。
【発明を実施するための最良の形態】
【００１１】
本発明の実施形態を、添付図面に基づいて説明する。
図１は、本発明の実施形態にかかる浴室用水栓ユニットが適用される浴室の構成を概略的に示す図である。また、図２は、本発明の実施形態にかかる浴室用水栓ユニットの構成を概略的に示す図である。また、図３は、本実施形態にかかる水栓ユニットを操作する姿勢を概略的に示す図である。また、図４は、本実施形態にかかる水栓ユニットの操作面の特徴的構成を概略的に示す図である。
【００１２】
図１を参照すると、本実施形態の水栓ユニットは、水栓本体（不図示）を覆うための水栓本体カバー１を備えている。水栓本体（水栓機構）は、給水配管（すなわち常温水を供給する給水配管および高温水を供給する給湯配管）１１と吐水配管１２およびシャワー配管１３との間に介在し、給水配管１１から吐水配管１２を介して吐水ヘッド１４への給水や、給水配管１１からシャワー配管１３を介してシャワーヘッド１５への給水などを制御する。
【００１３】
図２を参照すると、水栓本体カバー１は、たとえば適当な樹脂を用いて図示のような形態に形成され、浴室の壁面Ｗ（図３を参照）の所定位置に取り付けられている。水栓本体カバー１の前側には、水栓本体の保守および点検に際して取外し可能で且つ外側に凸状に湾曲した形態を有する保守・点検用カバー２が設けられている。また、保守・点検用カバー２の奥側に隣接して、給水配管１１から吐水配管１２への給水経路の開閉操作を行う吐水操作部としての矩形状の吐水操作キー３が設けられている。
【００１４】
さらに、吐水操作キー３の奥側にほぼ隣接して、給水配管１１からシャワー配管１３への給水経路の開閉操作を行うシャワー操作部としての矩形状のシャワー操作キー４が設けられている。保守・点検用カバー２と吐水操作キー３とシャワー操作キー４とは互いに同じ幅寸法を有し、水栓本体カバー１の左フランジ１ａと右フランジ１ｂとの間に位置決めされている。すなわち、吐水操作キー３とシャワー操作キー４とは奥行き方向に整列するように配置されている。
【００１５】
また、吐水操作キー３およびシャワー操作キー４は、手前から奥に向かって上昇傾斜するように形成された操作面３ａおよび４ａをそれぞれ有する。ここで、シャワー操作キー４の操作面４ａが水平面となす角度は、吐水操作キー３の操作面３ａが水平面となす角度よりも実質的に大きく設定されている。吐水操作キー３の操作面３ａには吐水ヘッド１４に対応する絵表示３ｂが形成され、シャワー操作キー４の操作面４ａにはシャワーヘッド１５に対応する絵表示４ｂが形成されている。
【００１６】
こうして、シャワー操作キー４は、吐水操作キー３よりも奥側において吐水操作キー３よりも実質的に高い位置に配置されている。また、シャワー操作キー４よりも高い位置において水栓本体カバー１の右フランジ１ｂ側には、給水配管１１から供給される水と温水とを混合して得られる湯水の温度を調節するための湯水温度調節部５が設けられている。湯水温度調節部５は、水平方向軸線廻りに回転可能な円柱状の形態を有する。
【００１７】
本実施形態の水栓ユニットでは、吐水操作キー３を下方へ押すことにより、給水配管１１から吐水配管１２への供給経路が開かれ、たとえば給水配管１１から供給された水と温水とを混合して得られた湯水が、吐水配管１２を介して吐水ヘッド１４から供給される。そして、吐水操作キー３を再度押すと、給水配管１１から吐水配管１２への供給経路が閉じられ、吐水ヘッド１４からの湯水の供給が停止する。
【００１８】
一方、シャワー操作キー４を下方へ押すことにより、給水配管１１からシャワー配管１３への供給経路が開かれ、たとえば給水配管１１から供給された水と温水とを混合して得られた湯水が、シャワー配管１３を介してシャワーヘッド１５から供給される。そして、シャワー操作キー４を再度押すと、給水配管１１からシャワー配管１３への供給経路が閉じられ、シャワーヘッド１５からの湯水の供給が停止する。
【００１９】
以上のように、本実施形態では、給水配管１１からシャワー配管１３への給水経路の開閉操作を行うシャワー操作部としてのシャワー操作キー４が、給水配管１１から吐水配管１２への給水経路の開閉操作を行う吐水操作部としての吐水操作キー３よりも奥側において吐水操作キー３よりも高い位置に配置されている。加えて、吐水操作キー３およびシャワー操作キー４は手前から奥に向かって上昇傾斜する操作面３ａ，４ａをそれぞれ有し、シャワー操作面４ａが水平面となす角度は吐水操作面３ａが水平面となす角度よりも実質的に大きく設定されている。
【００２０】
すなわち、シャワー操作面４ａが吐水操作面３ａよりも奥側において吐水操作面３ａよりも高い位置に配置され、且つシャワー操作面４ａの方が吐水操作面３ａよりも大きな角度で手前から奥に向かって上昇傾斜している。本実施形態の浴室用水栓ユニットでは、このシャワー操作面４ａと吐水操作面３ａとの間の前後位置関係、高さ位置関係および傾斜角度関係により、腰掛けた状態での吐水操作および立った状態または腰掛けた状態でのシャワー操作をともに楽な姿勢で確実に行うことができる。
【００２１】
具体的には、図３において実線で示すように例えば浴室の洗い場に腰掛けた状態で吐水操作面３ａを押すことにより、吐水操作を楽な姿勢で行うことができる。また、図３において破線で示すように例えばシャワーを浴びながら立った状態でシャワー操作面４ａを押すことにより、シャワー操作を楽な姿勢で行うことができる。さらに、図示を省略したが、例えば浴室の洗い場に腰掛けた状態においても、傾斜はしているが正対に比較的近い状態で前方に対向しているシャワー操作面４ａを押すことにより、シャワー操作を楽な姿勢で行うことができる。
【００２２】
なお、本実施形態において、吐水操作およびシャワー操作の双方をさらに楽な姿勢で行うには、図４に示すように、シャワー操作面４ａが水平面となす角度を約６０度に設定し、吐水操作面３ａが水平面となす角度を約３０度に設定することが好ましい。また、図３に示すように、立った状態であまり腰を屈めることなく操作し易いように、シャワー操作部４を浴室の床面ＦからＨ＝約７０ｃｍ〜約８０ｃｍの高さ位置に設けることが好ましい。
【００２３】
また、本実施形態では、シャワー操作キー４と吐水操作キー３との高さ位置関係が、その操作対象であるシャワーヘッド１５と吐水ヘッド１４との高さ位置関係に対応している。したがって、たとえば洗髪やシャワーや眼鏡の不装用により操作キー３，４の絵表示３ｂ，４ｂを目視確認することが困難な場合にも、視覚的判断だけに頼ることなく、操作対象の高さ位置関係に関する観念的判断により、吐水操作とシャワー操作との間の誤操作を確実に回避することができる。
【図面の簡単な説明】
【００２４】
【図１】本発明の実施形態にかかる浴室用水栓ユニットが適用される浴室の構成を概略的に示す図である。
【図２】本発明の実施形態にかかる浴室用水栓ユニットの構成を概略的に示す図である。
【図３】本実施形態にかかる水栓ユニットを操作する姿勢を概略的に示す図である。
【図４】本実施形態にかかる水栓ユニットの操作面の特徴的構成を概略的に示す図である。
【図５】従来の浴室用水栓ユニットの構成を概略的に示す図である。
【符号の説明】
【００２５】
１  水栓本体カバー
２  保守・点検用カバー
３  吐水操作キー
４  シャワー操作キー
５  湯水温度調節部
１１  給水配管
１２  吐水配管
１３  シャワー配管
１４  吐水ヘッド
１５  シャワーヘッド
【図１】
2006016750.tif 000003
【図２】
2006016750.tif 000004
【図３】
2006016750.tif 000005
【図４】
2006016750.tif 000006
【図５】
2006016750.tif 000007